(57)【要約】【課題】外壁に木質部分を設けた場合に、メンテナンスに係る手間等の軽減を図りつつ、有効床面積の増大及び外部からの木質部分の視認性の向上をも図ることが可能な建物を提供すること。【解決手段】外壁の木質部分１の外側に空間２を介して透光壁３を設け、前記空間２を囲んで密封し、前記空間２に乾燥圧縮空気Ａを供給可能とし、前記空間２の下方に前記乾燥圧縮空気Ａ及び該空間２内で生じた結露水を排出するための排出部４を設けた。【選択図】図４
2020097849.tif 000002
【特許請求の範囲】
【請求項１】
外壁の木質部分の外側に空間を介して透光壁を設け、
前記空間を囲んで密封し、
前記空間に乾燥圧縮空気を供給可能とし、
前記空間の下方に前記乾燥圧縮空気及び該空間内で生じた結露水を排出するための排出部を設けたことを特徴とする建物。
【請求項２】
前記排出部に逆流防止弁を設けてある請求項１に記載の建物。
【発明の詳細な説明】
【技術分野】
【０００１】
本発明は、例えば、外壁に木質部分を有する建物に関する。
【背景技術】
【０００２】
従来、複数の木質板材を繊維方向が直交するように積層接着したＣＬＴ（Ｃｒｏｓｓ  Ｌａｍｉｎａｔｅｄ  Ｔｉｍｂｅｒ：直交集成板）を用いた建築物の普及が図られているが、ＣＬＴを外壁に用いる場合、その耐候性の低さが懸念される。
【発明の概要】
【発明が解決しようとする課題】
【０００３】
そこで、ＣＬＴの外側に空間を介してガラスを設け、ダブルスキン構造とすることが考えられる。
【０００４】
しかし、このダブルスキン構造はＣＬＴからの吸放湿によりダブルスキン内ガラス面で結露する恐れがあり、前記空間の層を薄くするとその内側に作業者が入り込めず、発生した結露の拭き取り等のメンテナンスが不可能となり兼ねない。
【０００５】
そこで、前記空間を厚くすると、有効床面積が減少し、かつ、外部からのＣＬＴの視認性も低下する、という問題がある。
【０００６】
以上は、ＣＬＴに限らず、木製パネル等、外壁に木質部分を設けた場合について全般的に当て嵌まることである。
【０００７】
本発明は、外壁に木質部分を設けた場合に、メンテナンスに係る手間等の軽減を図りつつ、有効床面積の増大及び外部からの木質部分の視認性の向上をも図ることが可能な建物を提供することを目的とする。
【課題を解決するための手段】
【０００８】
上記目的を達成するために、本発明に係る建物は、外壁の木質部分の外側に空間を介して透光壁を設け、前記空間を囲んで密封し、前記空間に乾燥圧縮空気を供給可能とし、前記空間の下方に前記乾燥圧縮空気及び該空間内で生じた結露水を排出するための排出部を設けた（請求項１）。
【０００９】
上記建物において、前記排出部に逆流防止弁を設けてもよい（請求項２）。
【発明の効果】
【００１０】
本願発明では、外壁に木質部分を設けた場合に、メンテナンスに係る手間等の軽減を図りつつ、有効床面積の増大及び外部からの木質部分の視認性の向上をも図ることが可能な建物が得られる。
【００１１】
すなわち、本願の各請求項に係る発明の建物では、前記透光壁を例えば透明ガラスとすることにより、外壁の木質部分を外部に現すことが可能となる。また、前記空間内に結露がいわば日常的に生じないように乾燥圧縮空気を供給すれば、該空間内をメンテナンスフリーとすることができ、この場合、人が該空間内に立ち入る必要が無くなるので、該空間の薄型化を図って、有効床面積の増大や外部からの木質部分の視認性の向上を図ることも可能となる。さらに、前記空間内に供給した乾燥圧縮空気を排出部から排出することで該空間内の圧力を低下させることが可能である。また、仮に前記空間内に結露が生じた場合でも、排出部から結露水を排出することもできる。
【００１２】
請求項２に係る発明の建物では、逆流防止弁を設けることにより、外部から前記排出部を経て前記空間内に至るような風雨等の侵入が防止されるので、該空間の除湿の確実化を図ることが可能となる。
【図面の簡単な説明】
【００１３】
【図１】（Ａ）及び（Ｂ）は、本発明の一実施の形態に係る建物の要部の構成を概略的に示す縦断面図及び部分切断正面図である。
【図２】前記建物の要部の構成を概略的に示す縦断面図である。
【図３】前記建物の架構及び木質部分の構成を概略的に示す立面図である。
【図４】前記建物の要部の基本原理を概略的に示す説明図である。
【図５】前記建物における乾燥圧縮空気の流れを概略的に示す説明図である。
【発明を実施するための形態】
【００１４】
本発明の実施の形態について図面を参照しながら以下に説明する。
【００１５】
まず、本例に係る建物では、図４に示す原理図から把握されるように、外壁の木質部分１の外側に空間２を介して透光壁３を設け、適宜の部材により木質部分１の周縁と透光壁３との隙間を塞ぎ（空間２を囲んで密封し）、空間２に乾燥圧縮空気Ａを供給し、空間２内に供給された乾燥圧縮空気Ａ及び空間２内で生じた結露水を、空間２の下方に設けた複数（図示例では五つ）の排出部４から外部に排出する。
【００１６】
このような本例の建物では、透光壁３を例えば透明ガラスとすることにより、外壁の木質部分１を外部に現すことが可能となる。
【００１７】
また、本例の建物において、空間２内に結露がいわば日常的に生じないように乾燥圧縮空気Ａを供給すれば、空間２内をメンテナンスフリーとすることができ、この場合、人が空間２内に立ち入る必要が無くなるので、空間２の薄型化を図って、有効床面積の増大や外部からの木質部分１の視認性の向上を図ることも可能となる。しかも、空間２内がメンテナンスフリーでない場合には、室内側から空間２内のメンテナンスを行えるようにするのが合理的であるが、例えばそのために木質部分１を全て取り外さなければならないなら、木質部分１の数や重量によっては全ての木質部分１の脱着に多大な労力が必要となる上、木質部分１に構造的な負担をさせられなくなる。そこで一部の木質部分１のみを取り外せるようにすることも考えられるが、この場合、構造が複雑化するのに加え、空間２全体のメンテナンスが不十分になる恐れもあり、さらに空間２の薄型化を図ろうとした場合には空間２全体のメンテナンスはますます困難化したり不可能になったりすることになる。以上より、空間２内をメンテナンスフリーとするのは非常に有意といえる。
【００１８】
ここで、空間２内に供給した乾燥圧縮空気Ａを排出部４から排出することで空間２内の圧力を低下させることが可能であるから、乾燥圧縮空気Ａの供給によって空間２内が高圧になり、空間２まわりの部材が破損等することは防止される。また、仮に空間２内に結露が生じた場合でも、排出部４から結露水を排出することもできる。
【００１９】
以下、本例の建物につき、詳細に説明する。
【００２０】
図１（Ａ）及び（Ｂ）に示すように、本例の木質部分１は、建物の外壁において市松模様を描くように並び、各木質部分１の外側に空間（図１（Ａ）における斜線部分）２を介して透光壁（本例ではガラス板）３を配してある。
【００２１】
ここで、本例の木質部分１は、前述のＣＬＴ、ＬＶＬ（Ｌａｍｉｎａｔｅｄ  Ｖｅｎｅｅｒ  Ｌｕｍｂｅｒ）、集成材、合板等の木質面材（木質パネル材）によって形成され、図３に示すように、柱（例えば角形鋼管で形成された鉄骨柱）５及び梁（例えばＨ形鋼で形成された鉄骨梁）６で構築された架構（本例では鉄骨造の架構）７内に設けられ、正面視矩形状を呈し、梁幅と略同じ厚さとされている。
【００２２】
そして、図３に示すように、木質部分１は、引張力伝達部材としての引きボルト８及びせん断力伝達部材としてのブラケット９によって上下の梁６に接合されている。すなわち、木質部分１の上下には、引きボルト８が挿入される挿入孔、ブラケット９が挿入されるスリット（溝部）等が設けられている。
【００２３】
また、図３に示すように、木質部分１とその上下の梁６の間には、セメント系硬化体（本例では無収縮モルタル）１０が充填されている。
【００２４】
このように木質部分１を設ける本例では、引きボルト８、ブラケット９を介した木質部分１、梁６間のせん断力及び曲げモーメントの伝達により、建物の耐震性能が向上するのに加え、セメント系硬化体１０による曲げモーメントの伝達効率の上昇が、耐震性能の一層の向上に資することになる。その上、セメント系硬化体１０により、木質部分１及び梁６の施工誤差等を吸収することができ、梁６から木質部分１への熱伝達防止を図ることも可能である。
【００２５】
図１（Ａ）及び図２に示すように、空間２は、木質部分１の前面と透過壁３の背面とで挟まれ、さらに、木質部分１の周縁と透過壁３との隙間は、透過壁３を支持する部材、木質部分１の下方に設けられた化粧板１１等で塞がれ、これにより、空間２は、外気がその内部に自由に出入りしないように密閉されている。
【００２６】
そして、図３に示すように、木質部分１の左右にある隙間１２の上部に、送風管（例えばチューブ）１３の先端が配され、この送風管１３の先端から空間２内に乾燥圧縮空気Ａが供給可能となっている。なお、隙間１２は、送風管１３を残した状態で、図外のシール材によって充填される。
【００２７】
ここで、送風管１３の上流側には、図５に示すように、例えば１階等の所定階に配置される外気を取り込むためのコンプレッサー等の装置１５の他、取り込んだ外気を除湿する除湿手段、清浄化する清浄化手段（例えばフィルタ）１６、適宜に減圧する減圧手段（例えば減圧弁）１７、空間２に供給する乾燥圧縮空気Ａの流量調整を行うための流量調整手段（例えばスロットルバルブ等）１８が設けられ、空間２に供給する空気が適宜に乾燥・加圧されたものとなるようにしてある。そして、乾燥圧縮空気Ａは、所定階から送風管１９を通って各階に至り、各階でさらに分岐して各部屋あるいは特定の一又は複数の部屋に送られるのであって、部屋内における送風管１３は、図１（Ａ）に示すように、天井裏を通り、適宜に分岐して、図３に示すように、木質部分１の左右の隙間１２の上部に至る。
【００２８】
一方、図２に示すように、透光壁３の下方に設けられる排出部４の各々には、逆流防止弁１４を設けてあり、これにより、外部から排出部４を経て空間２内に至るような風雨等の侵入が防止されるので、空間２の除湿の確実化を図ることが可能となる。
【００２９】
以上の構成からなる本例の建物では、上述のように、空間２内に乾燥圧縮空気Ａを供給することにより、空間２内における結露防止を図ることができ、結露している場合にはその除湿（解消）を図ることができる。
【００３０】
ここで、空間２内への乾燥圧縮空気Ａの供給は、定期的に行ってもよいし、空間２内で結露したときや結露しそうなとき等に不定期に行ってもよい。例えば、空間２の下方の結露受けとなる部分や排出部４等に漏水センサを設け、かつ、この漏水センサが結露水を漏水として検知したときにその検知信号を受けて乾燥圧縮空気Ａをその空間２に供給させる制御部を設ければ、結露解消の自動化を図ることも可能である。
【００３１】
なお、本発明は、上記の実施の形態に何ら限定されず、本発明の要旨を逸脱しない範囲において種々に変形して実施し得ることは勿論である。例えば、以下のような変形例を挙げることができる。
【００３２】
上記実施の形態では、図１（Ｂ）に示すように、木質部分１を市松模様状に並べているが、これに限らず、例えば木質部分１を格子状、千鳥状等、規則的に並べてもよいし不規則的に並べてもよく、さらに外壁の全面にわたって並べる（架構７の各桝目に設ける）などしてもよい。また、木質部分１は、例えば構造的な負担をする耐力壁等であり取り外せないものであってもよいし、着脱可能な非耐力壁等であってもよい。
【００３３】
上記実施の形態では、図３に示すように、柱５、梁６で構成される架構７の一つの桝目内に一つの木質部分１を設け、さらに図１（Ａ）及び（Ｂ）に示すように、一つの木質部分１に対して上下に並ぶ二つの透光壁３を設けているが、これに限らず、架構７の一つの桝目内に二つ以上の木質部分１が外壁に沿う方向に並ぶようにしてもよい。また、架構７の一つの桝目内に設けられた一又は複数の木質部分１に対して設ける透光壁３の数は、上下に並ぶ二つとするものに限らず、一つとしてもよいし三つ以上としてもよく、複数とする場合、その並ぶ方向は上下に限らない。
【００３４】
上記実施の形態では、柱５、梁６で構成される架構７の桝目単位で空間２を区切り、各空間２を密封するようにしているが、左右に隣接する複数の桝目単位で空間２を区切り、各空間２を密封するようにしてもよい。
【００３５】
上記実施の形態では、図３に示すように、引きボルト８、ブラケット９、セメント系硬化体１０等を用いて木質部分１を上下の梁６に接合しているが、木質部分１の支持方法はこれに限らず、例えば、部材８〜１０の何れかを無くして代わりの部材を用いたり、上下の梁６のみならず左右の柱５に木質部分１を接合したりしてもよい。
【００３６】
上記実施の形態では、図３に示すように、送風管１３を木質部分１の左右の隙間１２のそれぞれ上部に接続しているが、これに限らず、例えば、木質部分１の左右の隙間１２の何れか一方の上部のみに送風管１３を接続するようにしてもよい。また、送風管１３を部屋の天井裏に通すのではなく、例えばＯＡフロアの場合には床下に通してもよく、この場合、隙間１２の上部ではなく下部に送風管１３を接続すればよい。
【００３７】
さらに、送風管１３は、空間２に連通すればよいのであって、木質部分１の左右に形成される隙間１２に限らず、木質部分１の上下に形成される隙間がある場合にはその隙間に通してもよく、さらには木質部分１に前後を貫く貫通孔（あるいは切欠き）を設け、この貫通孔（切欠き）に送風管１３が接続・挿通するようにしてもよい。
【００３８】
図４の例では、排出部４を五つ設けているが、排出部４の数は単数を含む四つ以下でもよいし、六つ以上としてもよい。
【００３９】
透光壁３の内面下部や空間２の下面に、結露吸水材を接着固定してもよい。
【００４０】
なお、上記変形例どうしを適宜組み合わせてもよいことはいうまでもない。
【符号の説明】
【００４１】
１    木質部分
２    空間
３    透光壁
４    排出部
５    柱
６    梁
７    架構
８    引きボルト
９    ブラケット
１０    セメント系硬化体
１１    化粧板
１２    隙間
１３    送風管
１４    逆流防止弁
１５    装置
１６    清浄化手段
１７    減圧手段
１８    流量調整手段
１９    送風管
Ａ    乾燥圧縮空気
【図１】
2020097849.tif 000003
【図２】
2020097849.tif 000004
【図３】
2020097849.tif 000005
【図４】
2020097849.tif 000006
【図５】
2020097849.tif 000007